(57)【特許請求の範囲】
【請求項１】
壁体の外面に外装材を複数並べ、かつ、隣り合う外装材を上実部と下実部とによる実矧ぎによって接合して取り付けてなる外装材取付構造であって、
前記外装材の一方の端部には、上実部と、この上実部の下側において側方に開口する溝部が形成されており、前記外装材の他方の端部には、下実部が形成されており、
前記壁体の外面には、外装材を取り付けるための取付部材が所定間隔で複数固定されており、前記取付部材は、前記下実部に係止する下実係止部と、前記溝部に係止する溝係止部とを備えており、隣り合う外装材のうち、一方の外装材の下実部には前記下実係止部が係止され、他方の外装材の溝部には前記溝係止部が係止され、
前記取付部材は、前記下実係止部が形成され、かつ、壁体の外面に前記他方の外装材の端部の下方で固定される第１取付部材と、前記溝係止部が形成され、かつ、壁体の外面に前記一方の外装材の端部の下方で固定される第２取付部材とから構成され、
前記第２取付部材に前記下実部の端部が当接されていることを特徴とする外装材取付構造。
【請求項２】
請求項１記載の外装材取付構造において、前記取付部材は、前記壁体の外面と前記外装材の裏面とに当接して、この外装材を壁体の外面から所定間隔離間させるスペーサ部を備えていることを特徴とする外装材取付構造。
【請求項３】
請求項１または２記載の外装材取付構造を施工する際に、壁体の外面に外装材を取り付ける外装材取付方法であって、壁体の外面に、複数の第２取付部材を所定間隔を設けて固定したうえで、壁体の外面に、隣り合う外装材どうしを上実部と下実部とによる実矧ぎによって接合して取り付けるに際し、前記第２取付部材に一方の外装材の下実部の端部を当接し、次いで、第１取付部材を壁体の外面に固定するとともに、該第１取付部材の下実係止部を前記下実部に係止し、次いで、他方の外装材の上実部を前記下実部の上側に配置するとともに上実部の下側の溝部に前記第２取付部材の溝係止部を係止することを特徴とする外装材取付方法。
【発明の詳細な説明】
【０００１】
【発明の属する技術分野】
本発明は、外装材を壁体の外面に取り付ける外装材取付構造、および外装材取付方法に関するものである。
【０００２】
【背景の技術】
近年、住宅等の建物の構築においてはその工業化が進み、例えば、壁や床、屋根といった構成要素を予め工場にてパネル化しておき、施工現場でこれらのパネルを組み立てることにより、建物を構築するといったパネル工法が一部に採用されている。このようなパネル工法に用いられるパネルとして、例えば、図５に示すような壁パネル２が知られている。この壁パネル２は、縦框材２０１，２０１と横框材２０２，２０２とが矩形状に組み立てられるとともに、この矩形枠の内部に補強芯材２０３，…が縦横に組まれて枠体２０４が形成され、さらにこの枠体２０４内にグラスウール等の断熱材（図示省略）が充填された状態で枠体２０４の表裏面に合板等の面材２０５，２０５が貼設されたものである。
【０００３】
このような壁パネル２の外面に外装材を取り付ける従来の技術としては、例えば、特開平１０−２６６５１９号公報に示されるものがある。即ち、図６に示すように、一方のサイディング材１１０には、左側サネ部１１２が形成されており、他方のサイディング材１１８には右側サネ部１２８が形成されている。これらサイディング材１１８，１１０は、右側サネ部１２８の外側に左側サネ部１１２が位置するようにして配置されている。そして、外壁基礎材（壁パネル）１３２の表面には胴縁１２２が固定されており、固定部材（釘）１２６を、サイディング材１１０の表面から胴縁１２２まで到達するようにして外壁基礎材（壁パネル）１３２にサイディング材１１０を取り付けている。
【０００４】
【発明が解決しようとする課題】
しかしながら、上記の従来の技術では、釘打ち等によりサイディング材１１０を取り付けるようにしているので、サイディング材１１０どうしを実矧ぎによって接合しつつ、これらサイディング材１１０を壁に取り付けるのに手間がかかるうえに、サイディング材１００の表面に固定部材１２６が露出するため、表面処理作業を行う必要があるという問題があった。
【０００５】
本発明は上記課題を鑑みてなされるものであり、外装材を取り付ける際の表面処理を軽減し、容易に外装材を壁に取り付けることができる外装材取付構造および外装材取付方法を提供することを目的とする。
【０００６】
【課題を解決するための手段】
上記課題に対し、請求項１の発明は、例えば、図１および図２に示すように、壁体（例えば、壁パネル２等）の外面２ａに外装材１を複数並べ、かつ、隣り合う外装材１，１を上実部１０と下実部１１とによる実矧ぎによって接合して取り付けてなる外装材取付構造であって、前記外装材１の一方の端部には、上実部１０と、この上実部１０の下側において側方に開口する溝部１２が形成されており、前記外装材１の他方の端部には、下実部１１が形成されており、前記壁体（例えば、壁パネル２等）の外面２ａには、外装材１を取り付けるための取付部材３が所定間隔で複数固定されており、前記取付部材３は、前記下実部１１に係止する下実係止部３１と、前記溝部１２に係止する溝係止部３２とを備えており、隣り合う外装材１，１のうち、一方の外装材１の下実部１１には前記下実係止部３１が係止され、他方の外装材１の溝部１２には前記溝係止部３２が係止され、
前記取付部材３は、前記下実係止部３１が形成され、かつ、壁体（例えば、壁パネル２等）の外面２ａに前記他方の外装材１の端部の下方で固定される第１取付部材３ａと、前記溝係止部３２が形成され、かつ、壁体（例えば、壁パネル２等）の外面２ａに前記一方の外装材１の端部の下方で固定される第２取付部材３ｂとから構成され、
前記第２取付部材３ｂに前記下実部１１の端部１１ａが当接されていることを特徴としている。
【０００７】
請求項１の発明によれば、外装材１の一方の端部に形成された上実部１０と、この上実部１０の下側において側方に開口する溝部１２と、外装材１の他方の端部に形成された下実部１１とにより、実矧ぎによって外装材１，１どうしを接合して取り付けることができる。また、壁体の外面２ａには、取付部材３が所定間隔で複数固定されており、取付部材３に備えられた下実係止部３１により、一方の外装材１の下実部１１に下実係止部３１が係止され、他方の外装材１の溝部１２に取付部材３に備えられた溝係止部３２が係止されているので、取付部材３を介して外装材１が壁体に確実に固定されるとともに、隣り合う外装材１，１どうしが容易に接合される。これにより、壁体の外面２ａに外装材１を確実かつ容易に取り付けられるとともに、接合部や取り付け部位が外面に露出せず美しく仕上げることができる。
【０００８】
外装材１は、建物の躯体の表面を覆う部材であり、防火性等を有する板状の素材を用いる場合があり、例えば、タイル貼り状やレンガ積み状の模様等、意匠性を高める模様が形成されている。
【０００９】
また、取付部材３は、下実係止部３１が形成され、かつ壁体の外面２ａに固定される第１取付部材３ａと、溝係止部３２が形成され、かつ壁体の外面２ａに固定される第２取付部材３ｂとから構成されているので、壁体の外面２ａに第１取付部材３ａと、第２取付部材３ｂとが確実に固定されることとなり、安定した状態で外装材１を取り付けることができる。
【００１０】
請求項２の発明は、例えば、図２に示すように、請求項１記載の外装材取付構造において、前記取付部材３は、前記壁体（例えば、壁パネル２等）の外面２ａと前記外装材１の裏面１ｂとに当接して、この外装材１を壁体（例えば、壁パネル２等）の外面２ａから所定間隔離間させるスペーサ部３３を備えていることを特徴としている。
【００１１】
請求項２の発明によれば、取付部材３は、壁体の外面２ａと外装材１の裏面１ｂとに当接して、この外装材１を壁体の外面２ａから所定間隔離間させるスペーサ部３３を備えているので、壁体の外面２ａと、外装材１の裏面１ｂとの間を一定離間して、外装材１を取り付けることができる。これにより、外装材１と壁体との間の通気性を確保することがで  きる。
【００１２】
請求項３の発明は、例えば、図３に示すように、請求項１または２記載の外装材取付構造を施工する際に、壁体（例えば、壁パネル２等）の外面２ａに外装材１を取り付ける外装材取付方法であって、壁体（例えば、壁パネル２等）の外面２ａに、複数の第２取付部材３ｂを所定間隔を設けて固定したうえで、壁体（例えば、壁パネル２等）の外面２ａに、隣り合う外装材１，１どうしを上実部１０と下実部１１とによる実矧ぎによって接合して取り付けるに際し、前記第２取付部材３ｂに一方の外装材１の下実部１１の端部１１ａを当接し、次いで、第１取付部材３ａを壁体（例えば、壁パネル２等）の外面２ａに固定するとともに、該第１取付部材３ａの下実係止部３１を前記下実部１１に係止し、次いで、他方の外装材１の上実部１０を前記下実部１１の上側に配置するとともに上実部１０の下側の溝部１２に前記第２取付部材３ｂの溝係止部３２を係止することを特徴としている。
【００１３】
請求項３の発明によれば、壁体の外面２ａに、複数の第２取付部材３ｂを所定間隔を設けて固定したうえで、壁体の外面２ａに、隣り合う外装材１，１どうしを実矧ぎによって接合して取り付けるに際し、第２取付部材３ｂに一方の外装材１の下実部１１の端部１１ａを当接するので、第２取付部材３ｂにより一方の外装材１の取り付け位置を誘導することができる。次いで、第１取付部材３ａを壁体の外面２ａに固定するとともに、該第１取付部材３ａの下実係止部３１を下実部１１に係止するので、第１取付部材３ａによって外装材１の下実部１１を有する端部を固定することができる。続いて、他方の外装材１の上実部１０を下実部１１の上側に配置するとともに上実部１０の下側の溝部１２に第２取付部材３ｂの溝係止部３２を係止するので、上実部１０によって下実部１１の上側が覆われるとともに、第２取付部材３ｂによって溝部１２を固定して、外装材１，１どうしが確実に接合するとともに、壁体に外装材１を固定することができる。さらに、外装材１，１どうしの接合部分において、上実部１０によって下実部１１の上側が覆われるので、第１取付部材３ａの下実係止部３１が露出することがなく、外観を美しく仕上げることができる。
【００１４】
【発明の実施の形態】
以下、図面を参照して本発明に係る外装材取付構造について説明する。図１は、本発明にかかる第１の実施の形態における外装材取付構造を用いて、壁面に外装材１を取り付けた状態を示す断面図である。図１に示すように、本実施の形態における外装材取付構造は、建物の壁体を形成する壁パネル２と、この壁パネル（壁体）２の表面に取り付けられる外装材１と、外装材１を取り付けるための取付部材３と、取付部材３を壁パネル２に取り付けるためのビス１００とによって主要部が構成されている。
【００１５】
壁パネル２は、図５に示すように、縦框材２０１，２０１と横框材２０２，２０２とが矩形状に組み立てられるとともに、この矩形枠の内部に補強芯材２０３…が縦横に組まれて枠体２０４が形成され、さらにこの枠体２０４内にグラスウール等の断熱材（図示省略）が充填された状態で枠体２０４の表裏面に合板等の面材２０５，２０５が貼設されたものである。
【００１６】
外装材１は、壁パネル２との間に取付部材３によって所定間隔を保ちながら壁パネル２の表面を覆う部材であり、防火性等を有する板状の素材を用いる場合があり、例えば、タイル貼り状やレンガ積み状の模様等、意匠性を高める模様が形成されている。
【００１７】
図２は、本実施の形態における外装材取付構造に用いる取付部材３の斜視図である。図２に示す２つの取付部材３，３は同一形状のものであり、一方の取付部材３を水平方向に１８０度回転させ、２つの取付部材３，３を対向させた状態を示している。取付部材３，３は、金属からなる長尺な部材であり、壁パネル２と外装材１との間を離間させるスペーサ部３３と、外装材１を係止する係止部３１，３１と、符号４０に示す平面部とにより主要部が構成されている。
【００１８】
スペーサ部３３は、水平面を形成する上面部３３ａと、この上面部３３ａの長尺な辺の両端から下方に向けて垂直に曲折する側壁部３３ｂ，３３ｃとにより凸状に形成されている。このスペーサ部３３の一方の側壁部３３ｂの下端部は、さらに外側に垂直に曲折して平面部４０を形成している。この平面部４０には、所定間隔を設けて、延出する複数の下実係止部３１（あるいは溝係止部３２）が設けられている。下実係止部３１（あるいは溝係止部３２）は、平面部４０から上方に曲折して傾斜部３１ｃ，３２ｃを形成した後、さらに曲折して垂直に上方に延出して側壁部３１ａ，３２ａを形成している。この側壁部３１ａ，３２ａの上端部にてさらに曲折して、外側上方に向けて傾斜するようにして係止部３１，３２が形成されている。なお、下実係止部３１（あるいは溝係止部３２）は、スペーサ部３３の上面部３３ａより高い位置に設けられている。さらに、平面部４０と傾斜部３１ｃ，３２ｃとには、取付部材３，３を壁パネル２に取り付ける際に用いる、ビス１００等の止着材を挿通するための止着穴３６…を備えている。
【００１９】
この下実係止部３１どうしの間隔は一定であるとともに、該下実係止部３１の長尺な辺の長さよりもやや広い間隔で設けられている。したがって、取付部材３，３は、図示するように下実係止部３１と溝係止部３２とを対向させると、それぞれの下実係止部３１と溝係止部３２とが交互にずれた位置に設けられることとなり、下実係止部３１と溝係止部３２とが係合するように設けられている。
【００２０】
次に、本実施の形態における外装材取付構造について説明する。図１において、右側に示す取付部材３は、外装材１の溝部１２を係止して取り付ける第２取付部材３ｂであり、左側に示す取付部材３は、外装材１の下実部１１を係止して取り付ける第１取付部材３ａである。これら第１取付部材３ａおよび第２取付部材３ｂは、壁パネル２の表面に取付部材３，３の平面部４０の裏面１ｂと、スペーサ部３３の下端部とが当接し、かつ、壁パネル２の芯材２０３または枠体２０４が配設されている位置に設置されている。そして、ビス１００が、止着穴３６から芯材２０５または枠体２０３に挿通され、ねじ込まれて固定されている。なお、第２取付部材３ｂは、平面部４０に設けられている止着穴３６から壁パネル２に向けて垂直にねじ込まれており、他方、第１取付部材３ａは、ビス１００が、傾斜部３２ｃの止着穴３６から壁パネル２に向けて傾斜してねじ込まれている。
【００２１】
なお、図１は外装材取付構造の断面図であるため、第１取付部材３ａを取り付けるビス１００と、第２取付部材３ｂを取り付けるビス１００とが当接する位置にあるように見えるが、図２を示して説明したとおり、下実係止部３１と溝係止部３２とは交互に位置するので、ビス１００を挿入する際、ビス１００どうしが当接することはない。
【００２２】
第１取付部材３ａの下実係止部３１は、外装材１の下実部１１に係止しており、第２取付部材３ｂの溝係止部３２は、外装材１の溝部１２に係止することにより、隣接する外装材１，１どうしが実矧ぎにより取り付けられている。この際、取付部材３，３による接合部分が上実部１０によって覆われ、外観上は取付部材３，３が見えないようになっている。
【００２３】
続いて、図３を用いて、本実施の形態の外装材取付構造を施工する際に、壁パネル２の表面に、外装材１を取り付ける外装材取付方法について説明する。まず、（３ａ）に示すように、壁パネル２の表面で、かつ芯材２０３または、枠体２０４が配置されている位置に、同じ向きに第２取付部材３ｂを取り付けていく。この際、第１の実施の形態における外装材取付方法に用いた位置決め治具５を用いて固定位置を確認する。
【００２４】
なお、（３ａ）の上面の端部側には、異なる形状の取付部材３０が取り付けられている。この取付部材３０は、端部に配置される外装材１を固定するために用いる端部止着材３０である。この端部止着材３０は、図４に示すように、取付部材３，３と同様に金属からなる長尺な部材であり、スペーサ部３０３および平面部４００の形状は、取付部材３，３のスペーサ部３３および平面部４０と同様であり、端部止着材３０は、側壁部３１０および係止部３０１の形状が取付部材３，３の側壁部３１ａ，３２ａと下実係止部３１とは異なる。したがって、スペーサ部３０３および平面部４００の説明は割愛する。平面部４００には、所定間隔を設けて、延出する複数の係止部３０１…が設けられている。平面部４００から上方に垂直に曲折して側壁部３０１ａが形成されており、この側壁部３０１ａの上端部にてさらに内側に向けて曲折する係止部３０１…が形成されている。なお、係止部３０１…はスペーサ部３０３の上面部３０３ａより高い位置に設けられている。さらに、平面部４００には、取付部材３０を壁パネル２に取り付ける際に用いる、ビス１００等の止着材を挿通するための止着穴３０６…が設けられている。
【００２５】
（３ａ）に示すように、取付部材３，３および端部止着材３０とを取り付けたら、続いて、外装材１を取付部材３，３および端部止着材３０に取り付ける。（３ｂ）に示すように、最初に、端部に配設する外装材１の溝部１２を端部止着材３０の係止部３０１に係止した後、該外装材１の他方の端部側の下実部１１の裏面１ｂが第２取付部材３ｂのスペーサ部３３の上面部３３ａに当接するように配置する。
【００２６】
続いて、（３ｃ）に示すように、第１取付部材３ａを、側壁部３１ａが外装材１の下実部１１の端部１１ａと当接するように配置して、ビス１００を斜め上方から傾斜部３２ｃに設けられた止着穴３６を通して、壁パネル２の芯材２０３にねじ込んで、第１取付部材３ａを壁パネル２に固定させる。このとき、下実係止部３１は外装材１の下実部１１の上面１１ｃに当接するようにして配置される。
【００２７】
次に、（３ｄ）に示すように、隣接する第２の外装材１を配置する。まず、溝部１２を備えた外装材１の端部を第１取付部材３ａの上部に配置し、該溝部１２に、第２取付部材３ｂの溝係止部３２を係止した後、外装材１の裏面１ｂが、第１取付部材３ａと、次の第２取付部材３ｂとのスペーサ部３３の上面部３３ａ，３３ａに当接するように配置する。以降、（３ｃ）および（３ｄ）に示した手順を繰り返して、順次外装材１を取り付けてゆけば、（３ｅ）に示すように外装材１…が壁パネル２の外面２ａに取り付けられる。
【００２８】
本実施の形態における外装材取付構造によれば、隣り合う外装材１，１を接合して取り付ける際、第１取付部材３ａによって、一方の外装材１の下実部１１を備えた端部を固定し、第２取付部材３ｂによって、他方の外装材１の溝部１２を備えた端部を固定できる。したがって、隣接する外装材１，１どうしを容易かつ確実に取り付けることができる。さらに、上実部１０によって外装材１，１どうしの接合部分が覆われるので、溝係止部３２および下実係止部３１が、外壁の表面に露出することがなく、外観を美しく仕上げることができる。
【００２９】
また、取付部材３は、同一形状のものを、取り付ける向きを変えることにより、下実部１１を固定する第１取付部材３ａと、溝部１２を固定する第２取付部材３ｂとに用いることができるので、部材の種類を減らすことができ、部材の製造や管理の手間を軽減することができる。
【００３０】
また、取付部材には止着穴３６…が平面部４０と傾斜部３１ｂとに設けられているので、該取付部材３を取り付ける位置に応じて、所望の止着穴３６…を利用することができ、作業の利便性が高まる。
【００３１】
さらに、取付部材３，３のスペーサ部３３，３３によって、壁パネル２と外装材１との間に空間Ｓが形成されるので、胴縁を設けることなく、壁パネル２と外装材１との間に隙間を設けることができる。これにより、木材の使用量を低減することができ、木材資源の節約につながるとともに、胴縁を取り付ける施工作業を軽減することができる。
【００３２】
また、外装材取付方法によれば、まず壁パネル２に第２取付部材３ｂ…を固定した後に、順次外装材１を配置するとともに、第１取付部材３ａを該外装材１の下実部１１に係止して外装材１を固定するので、外装材１が横にずれることがなく、容易かつ円滑に外装材１を取り付けることができる。さらに、外装材１を所定の位置に確実に取り付けることとなり、外装材１の寸法誤差に起因して、取り付け時に誤差が生じることを防ぎ、壁パネル２との寸法誤差を分散して吸収することができ、正確に取り付けることができる。
【００３３】
なお、本実施の形態において、取付部材３，３を壁パネル２に取り付ける際、第２取付部材３ｂはビス１００を垂直方向に取り付け、第１取付部材３ａはビス１００を斜め方向に固定したが、ビス１００の固定方法はこれに限定されるものではない。例えば、第１取付部材３ａおよび第２取付部材３ｂともに、垂直方向にビス１００を挿入して固定しても良く、作業の利便性に応じて適宜選択すればよい。
【００３４】
【発明の効果】
請求項１の発明によれば、外装材の一方の端部に形成された上実部および溝部と、外装材の他方の端部に形成された下実部とにより、実矧ぎによって外装材どうしを接合して取り付けることができる。また、壁体の外面には、取付部材が所定間隔で複数固定されており、取付部材に備えられた下実係止部および溝係止部により、取付部材を介して外装材が壁体に確実に固定されるとともに、隣り合う外装材どうしが容易に接合される。これにより、壁体の外面に外装材を確実かつ容易に取り付けられるとともに、接合部や取り付け部位が外面に露出せず美しく仕上げることができる。
【００３５】
また、取付部材は、第１取付部材と、第２取付部材とから構成されているので、壁体の外面に第１取付部材と、第２取付部材とが確実に固定されることとなり、安定した状態で外装材を取り付けることができる。
【００３６】
請求項２の発明によれば、請求項１と同様の効果を得ることができるのはもちろんのこと、取付部材にはスペーサ部を備えているので、壁体の外面と外装材の裏面とに当接して、この外装材を壁体の外面から所定間隔離間させた状態で外装材を取り付けることができる。これにより、壁体と外装材との間の通気性を確保することができる。
【００３７】
請求項３の発明によれば、請求項１または２と同様の効果を得ることができるのはもちろんのこと、隣り合う外装材どうしを実矧ぎによって接合して取り付けるに際し、第２取付部材によって、一方の外装材の取り付け位置を誘導することができる。次いで、第１取付部材を壁体の外面に固定するとともに、第１取付部材の下実係止部を下実部に係止するので、第１取付部材によって外装材の下実部を有する端部を固定することができる。続いて、他方の外装材の上実部を下実部の上側に配置するとともに上実部の下側の溝部に第２取付部材の溝係止部を係止するので、上実部によって下実部の上側が覆われるとともに、第２取付部材によって溝部を固定して、外装材どうしが確実に接合するとともに、壁体に外装材を固定することができる。さらに、上実部によって下実部の上側が覆われるので、第１取付部材の下実係止部が露出することがなく、外観を美しく仕上げることができる。
【図面の簡単な説明】
【図１】本発明にかかる外装材取付構造の第１の実施の形態の例を示す断面図である。
【図２】図１に示す外装材取付構造に用いられる取付部材の態様を示す斜視図である。
【図３】図１に示す外装材取付構造を施工する際の、外装材取付方法の課程を示す図である。
【図４】図１に示す外装材取付構造に用いられる取付部材の態様を示す斜視図である。
【図５】壁パネルの構造を示す斜視図である。
【図６】従来の外装材の接続部付近の詳細を示す縦断面図である。
【符号の説明】
１ 外装材
２ 壁パネル（壁体）
２ａ 外面
３ 取付部材
３ａ 第１取付部材
３ｂ 第２取付部材
１０ 上実部
１１ 下実部
１１ａ 端部
１２ 溝部
３１ 下実係止部
３２ 溝係止部
３３  スペーサ部
３６ 止着穴
【図１】
0004708638.tif 000002
【図２】
0004708638.tif 000003
【図３】
0004708638.tif 000004
【図４】
0004708638.tif 000005
【図５】
0004708638.tif 000006
【図６】
0004708638.tif 000007